(57)【要約】    【課題】      相手方の通信装置からの着信を受け付けることができない場合においても、理由不明の着信拒否による不快感や不安を与えることなく、かつ、着信時の状況に応じた適切な着信拒否理由情報を簡単な操作で相手方の通信装置に通知すること。    【解決手段】  入力部１０６は、ユーザの操作により着信拒否理由情報である文章情報を入力する機能を有する。着信拒否理由情報ＤＢ１０８は、入力された着信拒否理由情報を格納する。表示部１１０は、格納された着信拒否理由情報を着信時または着信時以外の時に表示する。入力部１０６は、ユーザの操作により着信時または着信時以外の時に表示された着信拒否理由情報の中から相手方の通信装置からの着信を受け付けることができない場合に相手方の通信装置に通知する着信拒否理由情報を選択する機能を有する。送信部１１６は、表示された着信拒否理由情報の中から選択された着信拒否理由情報を相手方の通信装置に通知する。  【選択図】      図１
2007081995.tif 000002
【特許請求の範囲】
【請求項１】
複数の着信拒否理由情報を入力する第１の入力手段と、
前記第１の入力手段により入力された前記複数の着信拒否理由情報を格納する格納手段と、
前記格納手段に格納された前記複数の着信拒否理由情報を表示する第１の表示手段と、
前記第１の表示手段に表示された前記複数の着信拒否理由情報の中から着信を受け付けることができない場合に相手方の通信装置に通知する前記着信拒否理由情報を前記相手方の通信装置からの着信時以外の時に選択する第１の選択手段と、
前記第１の表示手段に表示された前記複数の着信拒否理由情報の中から着信を受け付けることができない場合に前記相手方の通信装置に通知する前記着信拒否理由情報を前記相手方の通信装置からの着信時に選択する第２の選択手段と、
前記第１の選択手段または前記第２の選択手段により選択された前記着信拒否理由情報を着信に係る前記相手方の通信装置に通知する通知手段と、
を有する携帯電話機。
【請求項２】
通信相手名および電話番号を入力する第２の入力手段と、
前記第２の入力手段により入力された前記通信相手名と前記電話番号とを対応付けて登録する登録手段と、をさらに有し、
前記格納手段は、前記登録手段に登録された前記通信相手名または前記電話番号毎に前記複数の着信拒否理由情報を格納し、
前記登録手段に登録された前記通信相手名または前記電話番号毎に格納された前記着信拒否理由情報とともに前記通信相手名または前記電話番号を表示する第２の表示手段をさらに有し、
前記第１の選択手段は、前記第２の表示手段に表示された前記複数の着信拒否理由情報の中から着信を受け付けることができない場合に前記相手方の通信装置に通知する前記着信拒否理由情報を前記相手方の通信装置からの着信時以外の時に選択し、
前記第２の選択手段は、前記第２の表示手段に表示された前記複数の着信拒否理由情報の中から着信を受け付けることができない場合に前記相手方の通信装置に通知する前記着信拒否理由情報を前記相手方の通信装置からの着信時に選択する請求項１記載の携帯電話機。
【請求項３】
前記通知手段により着信に係る前記相手方の通信装置に通知された前記着信拒否理由情報を前記相手方の通信装置毎に記憶する記憶手段と、
前記記憶手段により前記相手方の通信装置毎に記憶された最も新しい前記着信拒否理由情報を判断して判断結果を生成する判断手段と、
前記判断結果により最も新しいとされた前記着信拒否理由情報を最も高い優先度として前記複数の着信拒否理由情報の表示順序を決定する第１の優先度決定手段と、をさらに有し、
前記第１の表示手段または前記第２の表示手段は、前記第１の優先度決定手段により決定された前記表示順序で前記複数の着信拒否理由情報を表示する請求項２記載の携帯電話機。
【請求項４】
前記通知手段により着信に係る前記相手方の通信装置に通知された前記着信拒否理由情報を前記相手方の通信装置毎に記憶する記憶手段と、
前記記憶手段により前記相手方の通信装置毎に記憶された前記着信拒否理由情報の数を計算する計算手段と、
前記計算手段により所定の時間内に計算された計算数が多い前記着信拒否理由情報から順に高い優先度として前記複数の着信拒否理由情報の表示順序を決定する第２の優先度決定手段と、をさらに有し、
前記第１の表示手段または前記第２の表示手段は、前記第２の優先度決定手段により決定された前記表示順序で前記複数の着信拒否理由情報を表示する請求項２記載の携帯電話機。
【発明の詳細な説明】
【技術分野】
【０００１】
本発明は、着信拒否理由情報を通知する機能を有する携帯電話機に関する。
【背景技術】
【０００２】
従来、携帯電話機として、相手方の通信装置からの着信を受け付けることができない場合に対応するための機能を有するものがある。従来の携帯電話機としては、例えば、着信保留機能、ドライブモード設定機能または伝言メモ設定機能を有するものがある。また、これらの機能を有しない携帯電話機においては、相手方の通信装置からの着信を一方的に切断するしかなかった。
【０００３】
また、他の従来の携帯電話機として、特許文献１に記載されているものがある。
【０００４】
特許文献１に記載されている携帯電話機は、マイクロフォンにより入力された複数の着信拒否理由メッセージを記憶しておき、着信を受け付けることができない状態になる前に、予め、記憶された複数の着信拒否理由メッセージの中からいずれかの着信拒否理由メッセージを指定しておくことにより着信拒否理由通知モードとし、着信時に指定された着信拒否理由メッセージを自動的に発信側装置に送信するようにしている。
【特許文献１】特開平１０−１６４６５７号公報
【発明の開示】
【発明が解決しようとする課題】
【０００５】
しかしながら、着信保留機能を有する携帯電話機は、相手方を待たせるだけでなく、着信保留状態の通話料が相手方に加算されてしまうという問題がある。また、ドライブモード設定機能または伝言メモ設定機能を有する携帯電話機は、受信者が着信を受け付けることができない状態になる度にドライブモードの設定または伝言メモの設定を行わなければならないという問題がある。さらに、相手方の通信装置からの着信を一方的に切断する携帯電話機においては、理由不明の着信拒否であるために、相手方に不快感または不安を与えてしまうという問題がある。
【０００６】
また、特許文献１記載の携帯電話機においては、予め、着信を受け付けることができるモードと着信拒否理由通知モードとの切り替えを行わなければならないとともに、着信拒否理由通知モード中の着信に対しては、常に、指定された着信拒否理由メッセージを発信側装置に自動的に送信するため、着信時におけるユーザの柔軟な対応が困難であるという問題がある。さらに、特許文献１記載の携帯電話機においては、一旦指定された着信拒否理由メッセージは、再度、着信時以外の時に異なる着信拒否理由メッセージを指定するまで変更することができないという問題がある。
【０００７】
このように、従来の携帯電話機においては、相手方の通信装置からの着信を受け付けることができない場合に対応するための機能は限定されており、相手方への配慮を持った対応が困難であった。
【０００８】
本発明は、かかる点に鑑みてなされたものであり、相手方の通信装置からの着信を受け付けることができない場合においても、理由不明の着信拒否による不快感または不安を与えることなく、かつ、着信時の状況に応じた適切な着信拒否理由情報を簡単な操作で相手方の通信装置に通知することができる携帯電話機を提供することを目的とする。
【課題を解決するための手段】
【０００９】
本発明の携帯電話機は、複数の着信拒否理由情報を入力する第１の入力手段と、前記第１の入力手段により入力された前記複数の着信拒否理由情報を格納する格納手段と、前記格納手段に格納された前記複数の着信拒否理由情報を表示する第１の表示手段と、前記第１の表示手段に表示された前記複数の着信拒否理由情報の中から着信を受け付けることができない場合に相手方の通信装置に通知する前記着信拒否理由情報を前記相手方の通信装置からの着信時以外の時に選択する第１の選択手段と、前記第１の表示手段に表示された前記複数の着信拒否理由情報の中から着信を受け付けることができない場合に前記相手方の通信装置に通知する前記着信拒否理由情報を前記相手方の通信装置からの着信時に選択する第２の選択手段と、前記第１の選択手段または前記第２の選択手段により選択された前記着信拒否理由情報を着信に係る前記相手方の通信装置に通知する通知手段と、を有する構成を採る。
【発明の効果】
【００１０】
本発明によれば、相手方の通信装置からの着信を受け付けることができない場合においても、理由不明の着信拒否による不快感または不安を与えることなく、かつ、着信時の状況に応じた適切な着信拒否理由情報を簡単な操作で相手方の通信装置に通知することができる。
【発明を実施するための最良の形態】
【００１１】
以下、本発明の実施の形態について、図面を参照して詳細に説明する。
【００１２】
（実施の形態１）
図１は、本発明の実施の形態１に係る携帯電話機１００の構成を示すブロック図である。
【００１３】
本発明の実施の形態１に係る携帯電話機１００は、受信部１０２、受信用アンテナ１０４、入力部１０６、着信拒否理由情報データベース（以下「着信拒否理由情報ＤＢ」と略記する）１０８、表示部１１０、スピーカ１１２、マイクロフォン１１４、送信部１１６、送信用アンテナ１１８および制御部１２０を有する。
【００１４】
受信部１０２は、受信用アンテナ１０４を介して、他の相手方の通信装置からの着信およびメール等の受信を行う。入力部１０６は、ボタンおよびテンキー等からなり、ユーザの操作により各種のコマンドを入力または選択するものである。携帯電話機１００のユーザは、入力部１０６を用いて相手方の通信装置からの着信を受け付けることができない場合に相手方の通信装置に通知する着信拒否理由情報である文章情報を入力する。着信拒否理由情報ＤＢ１０８は、入力部１０６により入力された着信拒否理由情報を格納する。表示部１１０は、例えば、液晶画面を有している。表示部１１０は、ユーザが入力部１０６を用いて入力した文字情報、グラフィック情報、ネットワークを介して外部から取得した情報、または、着信時の通信相手の情報を表示する。また、表示部１１０は、着信拒否理由情報ＤＢ１０８に格納された着信拒否理由情報を表示する。
【００１５】
スピーカ１１２は、入力される情報に応答して音声をユーザに出力する。マイクロフォン１１４は、ユーザの音声を入力するためのものであり、ユーザの音声を受けて音声情報を生成する。送信部１１６は、送信用アンテナ１１８を介して、他の相手方の通信装置に対しての発信およびメール等の送信を行う。また、送信部１１６は、表示部１１０に表示された着信拒否理由情報の中から選択された着信拒否理由情報を相手方の通信装置に通知する。制御部１２０は、携帯電話機１００の全体を制御する。
【００１６】
次に、携帯電話機１００の着信時の動作の一例を、図２および図３（Ａ）〜（Ｂ）を用いて説明する。図２は、本発明の実施の形態１に係る携帯電話機の動作を説明するためのフローチャートである。図３（Ａ）は、相手方の通信装置からの着信を受信したときの表示部１１０における液晶画面の表示の一例を示す図である。また、図３（Ｂ）は、着信拒否理由情報が表示された表示部１１０における液晶画面の表示の一例を示す図である。
【００１７】
まず、ステップＳ１０００においては、携帯電話機１００のユーザが、入力部１０６を用いて、相手方の通信装置からの着信を受け付けることができない場合に相手方の通信装置に通知する着信拒否理由情報である文章情報を入力する。
【００１８】
そして、ステップＳ１１００においては、着信拒否理由情報ＤＢ１０８が、ステップＳ１０００で入力した着信拒否理由情報を格納する。また、携帯電話機１００のユーザは、入力部１０６を用いて、着信拒否理由情報ＤＢ１０８に格納した着信拒否理由情報を、自由に変更、追加または削除することができる。
【００１９】
そして、ステップＳ１２００においては、受信部１０２が、受信用アンテナ１０４を介して、相手方の通信装置からの着信を受信する。受信部１０２が相手方の通信装置からの着信を受信すると、表示部１１０は、図３（Ａ）のような情報を表示する。
【００２０】
そして、ステップＳ１３００においては、携帯電話機１００のユーザが、相手方の通信装置からの着信を受け付けることができるか否か、つまり、相手方との通話が可能か否かを判断する。その判断の結果、携帯電話機１００のユーザが相手方との通話が可能であると判断したときには（ステップＳ１３００：ＹＥＳ）、携帯電話機１００のユーザが、通話ボタン（図示せず）を押して相手方の通信装置からの着信を受け付けてステップＳ１４００へ進む。また、携帯電話機１００のユーザが相手方との通話が可能でないと判断したときには（ステップＳ１３００：ＮＯ）、携帯電話機１００のユーザが、入力部１０６を用いて、図３（Ａ）の液晶画面から「着信拒否理由情報選択」のコマンドを選択して、ステップＳ１６００へ進む。
【００２１】
そして、ステップＳ１４００においては、携帯電話機１００のユーザが、スピーカ１１２およびマイクロフォン１１４を用いて相手方と通話を行う。
【００２２】
そして、ステップＳ１５００においては、携帯電話機１００のユーザが、相手方との通話を終了して回線を切断するかどうかを判断する。その判断の結果、携帯電話機１００のユーザが回線を切断すると判断したときには（ステップＳ１５００：ＹＥＳ）、携帯電話機１００のユーザが、通話終了ボタン（図示せず）を押してステップＳ１９００へ進む。また、携帯電話機１００のユーザが回線を切断しないと判断したときには（ステップＳ１５００：ＮＯ）、ステップＳ１４００へ戻る。
【００２３】
そして、ステップＳ１６００においては、表示部１１０が、着信拒否理由情報ＤＢ１０８に格納された着信拒否理由情報を表示する（図３（Ｂ）参照）。
【００２４】
そして、ステップＳ１７００においては、携帯電話機１００のユーザが、入力部１０６を用いて、表示部１１０に表示された着信拒否理由情報の中から相手方の通信装置に通知する着信拒否理由情報を選択する。
【００２５】
例えば、図３（Ｂ）において、携帯電話機１００のユーザが、会議中であるために着信を受け付けることができないときには、「１」のアイコンを選択する。また、携帯電話機１００のユーザが、電車の中にいるために着信を受け付けることができないときには、「２」のアイコンを選択する。また、携帯電話機１００のユーザが、バスの中にいるために着信を受け付けることができないときには、「３」のアイコンを選択する。
【００２６】
また、携帯電話機１００のユーザが、電話から離れているために着信を受け付けることができないときには、「４」のアイコンを選択する。また、携帯電話機１００のユーザが、運転中であるために着信を受け付けることができないときには、「５」のアイコンを選択する。また、携帯電話機１００のユーザが、他の電話に出ているために着信を受け付けることができないときには、「６」のアイコンを選択する。
【００２７】
また、携帯電話機１００のユーザが「４」または「５」のような相手方の通信装置からの着信時に携帯電話機１００を操作することができない着信拒否理由情報を選択する場合には、携帯電話機１００のユーザは、相手方の通信装置からの着信を受信する前に、予め、相手方の通信装置に通知する着信拒否理由情報を選択しておく。さらに、携帯電話機１００のユーザが「６」の着信拒否理由情報を選択する場合には、制御部１２０は、相手方の通信装置からの着信時に携帯電話機１００が通話状態にある場合に、当該着信拒否理由情報が自動的に選択されるように携帯電話機１００を制御する。
【００２８】
そして、ステップＳ１８００においては、送信部１１６が、送信用アンテナ１１８を介して、ステップＳ１７００で選択した着信拒否理由情報を相手方の通信装置に通知してステップＳ１９００へ進む。
【００２９】
そして、ステップＳ１９００においては、携帯電話機１００と相手方の通信装置との回線を切断して処理を終了する。
【００３０】
このように、本発明の実施の形態１に係る携帯電話機１００によれば、ユーザが相手方の通信装置からの着信時に当該着信を受け付けることができない場合において、ユーザが相手方の通信装置からの着信時以外の時に予め選択しておいた着信拒否理由情報を自動的に通知するのみならず、ユーザが着信時の状況に応じて当該着信を受け付けるか、または、着信拒否理由情報を通知するかを判断するため、着信時の状況に応じた適切な着信拒否理由情報を簡単な操作で相手方の通信装置に通知することができる。
【００３１】
（実施の形態２）
次に、本発明の実施の形態２について、図面を参照して詳細に説明する。
【００３２】
図４は、本発明の実施の形態２に係る携帯電話機２００の構成を示すブロック図である。なお、本発明の実施の形態２においては、本発明の実施の形態１に係る携帯電話機１００と同じ構成要素については同一の符号を付し、その説明を省略する。
【００３３】
本発明の実施の形態２に係る携帯電話機２００は、本発明の実施の形態１に係る携帯電話機１００において、電話番号データベース（以下「電話番号ＤＢ」と略記する）２０２をさらに有し、携帯電話機１００の入力部１０６、着信拒否理由情報ＤＢ１０８、表示部１１０および制御部１２０に代えて入力部２０４、着信拒否理由情報ＤＢ２０６、表示部２０８および制御部２１０を有する。
【００３４】
電話番号ＤＢ２０２は、いわゆる電話帳またはアドレス帳であり、通信相手名と電話番号とを対応付けて登録する。入力部２０４は、入力部１０６が有する機能に加えて、電話番号ＤＢ２０２に登録する通信相手名および電話番号を入力する機能を有する。着信拒否理由情報ＤＢ２０６は、着信拒否理由情報ＤＢ１０８が有する機能に加えて、電話番号ＤＢ２０２に登録された通信相手名または電話番号毎に入力された着信拒否理由情報を格納する機能を有する。表示部２０８は、表示部１１０が有する機能に加えて、電話番号ＤＢ２０２に登録された通信相手名または電話番号毎に格納された着信拒否理由情報とともに通信相手名または電話番号を表示する機能を有する。制御部２１０は、携帯電話機２００の全体を制御する。
【００３５】
次に、携帯電話機２００の着信時の動作の一例を、図５および図６（Ａ）〜（Ｃ）を用いて説明する。図５は、本発明の実施の形態２に係る携帯電話機の動作を説明するためのフローチャートである。図６（Ａ）は、相手方の通信装置からの着信を受信したときの表示部２０８における液晶画面の表示の一例を示す図である。また、図６（Ｂ）は、着信拒否理由情報が表示された表示部２０８における液晶画面の表示の一例を示す図である。また、図６（Ｃ）は、着信拒否理由情報が表示された表示部２０８における液晶画面の表示の他の一例を示す図である。
【００３６】
まず、ステップＳ２０００においては、携帯電話機２００のユーザが、入力部２０４を用いて、通信相手名および電話番号を入力する。電話番号ＤＢ２０２は、入力された通信相手名および電話番号を対応付けて登録する。
【００３７】
そして、ステップＳ２１００においては、携帯電話機２００のユーザが、入力部２０４を用いて、相手方の通信装置からの着信を受け付けることができない場合に相手方の通信装置に通知する着信拒否理由情報である文章情報を入力する。
【００３８】
そして、ステップＳ２２００においては、着信拒否理由情報ＤＢ２０６が、電話番号ＤＢ２０２に登録された通信相手名または電話番号毎にステップＳ２１００で入力した着信拒否理由情報を格納する。また、携帯電話機２００のユーザは、入力部２０４を用いて、着信拒否理由情報ＤＢ２０６に格納した着信拒否理由情報を、自由に変更、追加または削除することができる。
【００３９】
そして、ステップＳ２３００においては、受信部１０２が、受信用アンテナ１０４を介して、相手方の通信装置からの着信を受信する。受信部１０２が相手方の通信装置からの着信を受信すると、表示部２０８は、図６（Ａ）のような情報を表示する。
【００４０】
そして、ステップＳ２４００においては、携帯電話機２００のユーザが、相手方の通信装置からの着信を受け付けることができるか否か、つまり、相手方との通話が可能か否かを判断する。その判断の結果、携帯電話機２００のユーザが相手方との通話が可能であると判断したときには（ステップＳ２４００：ＹＥＳ）、携帯電話機２００のユーザが、通話ボタン（図示せず）を押して相手方の通信装置からの着信を受け付けてステップＳ２５００へ進む。また、携帯電話機２００のユーザが相手方との通話が可能でないと判断したときには（ステップＳ２４００：ＮＯ）、携帯電話機２００のユーザが、入力部２０４を用いて、図６（Ａ）の液晶画面から「着信拒否理由情報選択」のコマンドを選択して、ステップＳ２７００へ進む。
【００４１】
そして、ステップＳ２５００においては、携帯電話機２００のユーザが、スピーカ１１２およびマイクロフォン１１４を用いて相手方と通話を行う。
【００４２】
そして、ステップＳ２６００においては、携帯電話機２００のユーザが、相手方との通話を終了して回線を切断するかどうかを判断する。その判断の結果、携帯電話機２００のユーザが回線を切断すると判断したときには（ステップＳ２６００：ＹＥＳ）、携帯電話機２００のユーザが、通話終了ボタン（図示せず）を押してステップＳ３０００へ進む。また、携帯電話機２００のユーザが回線を切断しないと判断したときには（ステップＳ２６００：ＮＯ）、ステップＳ２５００へ戻る。
【００４３】
そして、ステップＳ２７００においては、表示部２０８が、電話番号ＤＢ２０２に登録された通信相手名または電話番号毎に着信拒否理由情報ＤＢ２０６に格納された着信拒否理由情報とともに通信相手名または電話番号を表示する。従って、本発明の実施の形態２においては、表示部２０８は、電話番号ＤＢ２０２に登録された異なる通信相手名または電話番号に係る通信装置からの着信に対して、異なる着信拒否理由情報を表示することができる（図６（Ｂ）〜（Ｃ）参照）。
【００４４】
そして、ステップＳ２８００においては、携帯電話機２００のユーザが、入力部２０４を用いて、表示部２０８に表示された着信拒否理由情報の中から相手方の通信装置に通知する着信拒否理由情報を選択する。
【００４５】
そして、ステップＳ２９００においては、送信部１１６が、送信用アンテナ１１８を介して、ステップＳ２８００で選択した着信拒否理由情報を相手方の通信装置に通知してステップＳ３０００へ進む。
【００４６】
そして、ステップＳ３０００においては、携帯電話機２００と相手方の通信装置との回線を切断して処理を終了する。
【００４７】
このように、本発明の実施の形態２に係る携帯電話機２００によれば、本発明の実施の形態１の効果に加えて、着信拒否理由情報ＤＢ２０６が、電話番号ＤＢ２０２に登録された通信相手名または電話番号毎に入力された着信拒否理由情報を格納し、表示部２０８が、電話番号ＤＢ２０２に登録された通信相手名または電話番号毎に格納された着信拒否理由情報とともに通信相手名または電話番号を表示するため、着信に係る通信相手名または電話番号に応じた適切な着信拒否理由情報を相手方の通信装置に通知することができる。
【００４８】
（実施の形態３）
次に、本発明の実施の形態３について、図面を参照して詳細に説明する。
【００４９】
図７は、本発明の実施の形態３に係る携帯電話機３００の構成を示すブロック図である。なお、本発明の実施の形態３においては、本発明の実施の形態２に係る携帯電話機２００と同じ構成要素については同一の符号を付し、その説明を省略する。
【００５０】
本発明の実施の形態３に係る携帯電話機３００は、本発明の実施の形態２に係る携帯電話機２００において、通知済着信拒否理由情報記憶部３０２、判断部３０４および優先度決定部３０６をさらに有し、携帯電話機２００の表示部２０８および制御部２１０に代えて表示部３０８および制御部３１０を有する。
【００５１】
通知済着信拒否理由情報記憶部３０２は、送信部１１６が送信用アンテナ１１８を介して相手方の通信装置に通知した着信拒否理由情報を相手方の通信装置毎に記憶する。判断部３０４は、通知済着信拒否理由情報記憶部３０２が相手方の通信装置毎に記憶した最も新しい着信拒否理由情報を判断して判断結果を生成する。優先度決定部３０６は、判断部３０４が生成した判断結果により最も新しいとされた着信拒否理由情報を最も高い優先度として表示部３０８に表示される着信拒否理由情報の表示順序を決定する。表示部３０８は、表示部２０８が有する機能に加えて、着信拒否理由情報ＤＢ２０６に格納された着信拒否理由情報を優先度決定部３０６により決定された表示順序で表示する機能を有する。制御部３１０は、携帯電話機３００の全体を制御する。
【００５２】
次に、携帯電話機３００の着信時の動作の一例を、図８および図９（Ａ）〜（Ｃ）を用いて説明する。図８は、本発明の実施の形態３に係る携帯電話機の動作を説明するためのフローチャートである。図９（Ａ）は、相手方の通信装置からの着信を受信したときの表示部３０８における液晶画面の表示の一例を示す図である。また、図９（Ｂ）は、着信拒否理由情報が表示された表示部３０８における液晶画面の表示の一例を示す図である。また、図９（Ｃ）は、相手方の通信装置からの着信を受信したときの表示部３０８における液晶画面の表示の他の一例を示す図である。
【００５３】
なお、この例において、判断部３０４が生成した判断結果により「特許太朗」の通信装置に対して通知済着信拒否理由情報記憶部３０２が記憶した最も新しい着信拒否理由情報であるとされた着信拒否理由情報は、「会議中のため電話に出られません」であるものとする。
【００５４】
まず、ステップＳ４０００においては、携帯電話機３００のユーザが、入力部２０４を用いて、通信相手名および電話番号を入力する。電話番号ＤＢ２０２は、入力された通信相手名および電話番号を対応付けて登録する。
【００５５】
そして、ステップＳ４１００においては、携帯電話機３００のユーザが、入力部２０４を用いて、相手方の通信装置からの着信を受け付けることができない場合に相手方の通信装置に通知する着信拒否理由情報である文章情報を入力する。
【００５６】
そして、ステップＳ４２００においては、着信拒否理由情報ＤＢ２０６が、電話番号ＤＢ２０２に登録された通信相手名または電話番号毎にステップＳ４１００で入力した着信拒否理由情報を格納する。また、携帯電話機３００のユーザは、入力部２０４を用いて、着信拒否理由情報ＤＢ２０６に格納した着信拒否理由情報を、自由に変更、追加または削除することができる。
【００５７】
そして、ステップＳ４３００においては、受信部１０２が、受信用アンテナ１０４を介して、相手方の通信装置からの着信を受信する。なお、この例においては、着信に係る相手方の通信装置の通信相手名は、「特許太朗」であるものとする。
【００５８】
そして、ステップＳ４４００においては、判断部３０４が、通知済着信拒否理由情報記憶部３０２が相手方の通信装置毎に記憶した最も新しい着信拒否理由情報を判断して判断結果を生成する。
【００５９】
そして、ステップＳ４５００においては、優先度決定部３０６は、判断部３０４がステップＳ４４００で生成した判断結果により最も新しいとされた着信拒否理由情報を最も高い優先度として表示部３０８に表示される着信拒否理由情報の表示順序を決定する。
【００６０】
そして、ステップＳ４６００においては、表示部３０８が、通信相手名および電話番号とともに、通知済着信拒否理由情報記憶部３０２が相手方の通信装置毎に記憶した最も新しい着信拒否理由情報を表示する（図９（Ａ）参照）。
【００６１】
そして、ステップＳ４７００においては、携帯電話機３００のユーザが、相手方の通信装置からの着信を受け付けることができるか否か、つまり、相手方との通話が可能か否かを判断する。その判断の結果、携帯電話機３００のユーザが相手方との通話が可能であると判断したときには（ステップＳ４７００：ＹＥＳ）、携帯電話機３００のユーザが、通話ボタン（図示せず）を押して相手方の通信装置からの着信を受け付けてステップＳ４８００へ進む。また、携帯電話機３００のユーザが相手方との通話が可能でないと判断したときには（ステップＳ４７００：ＮＯ）、ステップＳ５０００へ進む。
【００６２】
そして、ステップＳ４８００においては、携帯電話機３００のユーザが、スピーカ１１２およびマイクロフォン１１４を用いて相手方と通話を行う。
【００６３】
そして、ステップＳ４９００においては、携帯電話機３００のユーザが、相手方との通話を終了して回線を切断するかどうかを判断する。その判断の結果、携帯電話機３００のユーザが回線を切断すると判断したときには（ステップＳ４９００：ＹＥＳ）、携帯電話機３００のユーザが、通話終了ボタン（図示せず）を押してステップＳ５５００へ進む。また、携帯電話機３００のユーザが回線を切断しないと判断したときには（ステップＳ４９００：ＮＯ）、ステップＳ４８００へ戻る。
【００６４】
そして、ステップＳ５０００においては、携帯電話機３００のユーザが、判断部３０４が生成した判断結果により「特許太朗」の通信装置に対して通知済着信拒否理由情報記憶部３０２が記憶した最も新しい着信拒否理由情報であるとされた着信拒否理由情報、つまり、「特許太朗」の通信装置に対して前回通知した着信拒否理由情報である「会議中のため電話に出られません」を「特許太朗」の通信装置に通知する着信拒否理由情報として選択するか否かを判断する。その判断の結果、携帯電話機３００のユーザが「会議中のため電話に出られません」を選択すると判断したときには（ステップＳ５０００：ＹＥＳ）、携帯電話機３００のユーザが、入力部２０４を用いて、図９（Ａ）の液晶画面から「ＹＥＳ」のコマンドを選択して、ステップＳ５３００へ進む。また、携帯電話機３００のユーザが「会議中のため電話に出られません」を選択しないと判断したときには（ステップＳ５０００：ＮＯ）、携帯電話機３００のユーザが、入力部２０４を用いて、図９（Ａ）の液晶画面から「ＮＯ」のコマンドを選択して、ステップＳ５１００へ進む。
【００６５】
そして、ステップＳ５１００においては、表示部３０８が、電話番号ＤＢ２０２に登録された通信相手名または電話番号毎に着信拒否理由情報ＤＢ２０６に格納された他の着信拒否理由情報とともに通信相手名または電話番号を表示する（図９（Ｂ）参照）。このとき、表示部３０８が、ステップＳ５０００で携帯電話機３００のユーザが選択しなかった着信拒否理由情報を表示するようにしてもよいし、表示しないようにしてもよい。
【００６６】
そして、ステップＳ５２００においては、携帯電話機３００のユーザが、入力部２０４を用いて、表示部３０８に表示された他の着信拒否理由情報の中から相手方の通信装置に通知する着信拒否理由情報を選択して、ステップＳ５３００へ進む。
【００６７】
そして、ステップＳ５３００においては、送信部１１６が、送信用アンテナ１１８を介して、ステップＳ５０００またはステップＳ５２００で選択した着信拒否理由情報を相手方の通信装置に通知する。
【００６８】
そして、ステップＳ５４００においては、通知済着信拒否理由情報記憶部３０２が、ステップＳ５３００で相手方の通信装置に通知した着信拒否理由情報を相手方の通信装置毎に記憶する。例えば、ステップＳ５３００で「特許太朗」の通信装置に対して通知した着信拒否理由情報が「電車の中のため電話に出られません」であれば、通知済着信拒否理由情報記憶部３０２が当該着信拒否理由情報を記憶し、「特許太朗」の通信装置からの次の着信時には、表示部３０８は、図９（Ｃ）のような情報を表示する。
【００６９】
そして、ステップＳ５５００においては、携帯電話機３００と相手方の通信装置との回線を切断して処理を終了する。
【００７０】
このように、本発明の実施の形態３に係る携帯電話機３００によれば、本発明の実施の形態１および本発明の実施の形態２の効果に加えて、優先度決定部３０６が、判断部３０４が生成した判断結果により最も新しいとされた着信拒否理由情報を最も高い優先度として表示部３０８に表示される着信拒否理由情報の表示順序を決定し、表示部３０８が、着信拒否理由情報ＤＢ２０６に格納された着信拒否理由情報を優先度決定部３０６により決定された表示順序で表示するため、相手方の通信装置に通知する着信拒否理由情報を選択するまでの操作時間を短縮することができる。
【００７１】
（実施の形態４）
次に、本発明の実施の形態４について、図面を参照して詳細に説明する。
【００７２】
図１０は、本発明の実施の形態４に係る携帯電話機４００の構成を示すブロック図である。なお、本発明の実施の形態４においては、本発明の実施の形態３に係る携帯電話機３００と同じ構成要素については同一の符号を付し、その説明を省略する。
【００７３】
本発明の実施の形態４に係る携帯電話機４００は、本発明の実施の形態３に係る携帯電話機３００において、判断部３０４を削除し、計算部４０２をさらに有し、携帯電話機３００の優先度決定部３０６、表示部３０８および制御部３１０に代えて優先度決定部４０４、表示部４０６および制御部４０８を有する。
【００７４】
計算部４０２は、通知済着信拒否理由情報記憶部３０２が相手方の通信装置毎に記憶した着信拒否理由情報の数を計算する。優先度決定部４０４は、所定の時間内に計算部４０２により計算された計算数が多い着信拒否理由情報から順に高い優先度として表示部４０６に表示される着信拒否理由情報の表示順序を決定する。表示部４０６は、表示部３０８が有する機能に加えて、着信拒否理由情報ＤＢ２０６に格納された着信拒否理由情報を優先度決定部４０４により決定された表示順序で表示する機能を有する。制御部４０８は、携帯電話機４００の全体を制御する。
【００７５】
次に、携帯電話機４００の着信時の動作の一例を、図１１、図１２（Ａ）〜（Ｄ）および図１３（Ａ）〜（Ｄ）を用いて説明する。図１１は、本発明の実施の形態４に係る携帯電話機の動作を説明するためのフローチャートである。また、図１２（Ａ）は、相手方の通信装置からの着信を受信したときの表示部４０６における液晶画面の表示の一例を示す図である。また、図１２（Ｂ）は、着信拒否理由情報が表示された表示部４０６における液晶画面の表示の一例を示す図である。また、図１２（Ｃ）は、相手方の通信装置からの着信を受信したときの表示部４０６における液晶画面の表示の他の一例を示す図である。また、図１２（Ｄ）は、着信拒否理由情報が表示された表示部４０６における液晶画面の表示の他の一例を示す図である。
【００７６】
また、図１３（Ａ）は、計算部が所定の時間内に計算した着信拒否理由情報の計算数の一例を示す図である。また、図１３（Ｂ）〜（Ｃ）は、計算部が所定の時間内に計算した着信拒否理由情報の計算数の他の一例を示す図である。また、図１３（Ｄ）は、計算部が所定の時間内に計算した着信拒否理由情報の計算数のリセットを示す図である。
【００７７】
なお、この例において、計算部４０２が計算した、「特許太朗」の通信装置に対して通知済着信拒否理由情報記憶部３０２が記憶した着信拒否理由情報の計算数は、図１３（Ａ）のようであるものとする。
【００７８】
まず、ステップＳ６０００においては、携帯電話機４００のユーザが、入力部２０４を用いて、通信相手名および電話番号を入力する。電話番号ＤＢ２０２は、入力された通信相手名および電話番号を対応付けて登録する。
【００７９】
そして、ステップＳ６１００においては、携帯電話機４００のユーザが、入力部２０４を用いて、相手方の通信装置からの着信を受け付けることができない場合に相手方の通信装置に通知する着信拒否理由情報である文章情報を入力する。
【００８０】
そして、ステップＳ６２００においては、着信拒否理由情報ＤＢ２０６が、電話番号ＤＢ２０２に登録された通信相手名または電話番号毎にステップＳ６１００で入力した着信拒否理由情報を格納する。また、携帯電話機４００のユーザは、入力部２０４を用いて、着信拒否理由情報ＤＢ２０６に格納した着信拒否理由情報を、自由に変更、追加または削除することができる。
【００８１】
そして、ステップＳ６３００においては、受信部１０２が、受信用アンテナ１０４を介して、相手方の通信装置からの着信を受信する。なお、この例においては、着信に係る相手方の通信装置の通信相手名は、「特許太朗」であるものとする。
【００８２】
そして、ステップＳ６４００においては、計算部４０２が、通知済着信拒否理由情報記憶部３０２が相手方の通信装置毎に記憶した着信拒否理由情報の数を計算する。
【００８３】
そして、ステップＳ６５００においては、優先度決定部４０４が、所定の時間内に計算部４０２により計算された計算数が多い着信拒否理由情報から順に高い優先度として表示部４０６に表示される着信拒否理由情報の表示順序を決定する。
【００８４】
なお、計算部４０２により計算された計算数が同一である着信拒否理由情報が複数ある場合においては、優先度決定部４０４は、当該複数の着信拒否理由情報の表示順序をどのように決定してもよい。例えば、優先度決定部４０４は、計算部４０２により計算された計算数が同一になる前に、計算部４０２により計算された計算数が多い方の着信拒否理由情報を高い優先度として着信拒否理由情報の表示順序を決定するようにしてもよいし、計算部４０２により計算された計算数が同一になる前に、計算部４０２により計算された計算数が少ない方の着信拒否理由情報を高い優先度として着信拒否理由情報の表示順序を決定するようにしてもよい。
【００８５】
また、優先度決定部４０４は、文字コード番号、５０音、またはアルファベット等の順番によって計算部４０２により計算された計算数が同一である複数の着信拒否理由情報の表示順序を決定するようにしてもよい。
【００８６】
そして、ステップＳ６６００においては、表示部４０６が、通信相手名および電話番号とともに、所定の時間内に計算部４０２により計算された計算数が最も多い着信拒否理由情報を表示する（図１２（Ａ）参照）。
【００８７】
そして、ステップＳ６７００においては、携帯電話機４００のユーザが、相手方の通信装置からの着信を受け付けることができるか否か、つまり、相手方との通話が可能か否かを判断する。その判断の結果、携帯電話機４００のユーザが相手方との通話が可能であると判断したときには（ステップＳ６７００：ＹＥＳ）、携帯電話機４００のユーザが、通話ボタン（図示せず）を押して相手方の通信装置からの着信を受け付けてステップＳ６８００へ進む。また、携帯電話機４００のユーザが相手方との通話が可能でないと判断したときには（ステップＳ６７００：ＮＯ）、ステップＳ７０００へ進む。
【００８８】
そして、ステップＳ６８００においては、携帯電話機４００のユーザが、スピーカ１１２およびマイクロフォン１１４を用いて相手方と通話を行う。
【００８９】
そして、ステップＳ６９００においては、携帯電話機４００のユーザが、相手方との通話を終了して回線を切断するかどうかを判断する。その判断の結果、携帯電話機４００のユーザが回線を切断すると判断したときには（ステップＳ６９００：ＹＥＳ）、携帯電話機４００のユーザが、通話終了ボタン（図示せず）を押してステップＳ７５００へ進む。また、携帯電話機４００のユーザが回線を切断しないと判断したときには（ステップＳ６９００：ＮＯ）、ステップ６８００へ戻る。
【００９０】
そして、ステップＳ７０００においては、携帯電話機４００のユーザが、計算部４０２が所定の時間内に計算した、「特許太朗」の通信装置に対して通知済着信拒否理由情報記憶部３０２が記憶した着信拒否理由情報の数が最も多い着信拒否理由情報である「会議中のため電話に出られません」を「特許太朗」の通信装置に通知する着信拒否理由情報として選択するか否かを判断する。その判断の結果、携帯電話機４００のユーザが「会議中のため電話に出られません」を選択すると判断したときには（ステップＳ７０００：ＹＥＳ）、携帯電話機４００のユーザが、入力部２０４を用いて、図１２（Ａ）の液晶画面から「ＹＥＳ」のコマンドを選択して、ステップＳ７３００へ進む。また、携帯電話機４００のユーザが「会議中のため電話に出られません」を選択しないと判断したときには（ステップＳ７０００：ＮＯ）、携帯電話機４００のユーザが、例えば、入力部２０４を用いて、図１２（Ａ）の液晶画面から「ＮＯ」のコマンドを選択して、ステップＳ７１００へ進む。
【００９１】
そして、ステップＳ７１００においては、表示部４０６が、優先度決定部４０４により決定された表示順序、つまり、所定の時間内に計算部４０２により計算された計算数が多い順に高い優先度の表示順序として、電話番号ＤＢ２０２に登録された通信相手名または電話番号毎に着信拒否理由情報ＤＢ２０６に格納された他の着信拒否理由情報を表示するとともに、着信に係る通信装置の通信相手名または電話番号を表示する（図１２（Ｂ）参照）。このとき、表示部４０６が、ステップＳ７０００で携帯電話機４００のユーザが選択しなかった着信拒否理由情報を表示するようにしてもよいし、表示しないようにしてもよい。
【００９２】
そして、ステップＳ７２００においては、携帯電話機４００のユーザが、入力部２０４を用いて、表示部４０６に表示された他の着信拒否理由情報の中から相手方の通信装置に通知する着信拒否理由情報を選択して、ステップＳ７３００へ進む。
【００９３】
そして、ステップＳ７３００においては、送信部１１６が、送信用アンテナ１１８を介して、ステップＳ７０００またはステップＳ７２００で選択した着信拒否理由情報を相手方の通信装置に通知する。
【００９４】
そして、ステップＳ７４００においては、通知済着信拒否理由情報記憶部３０２が、ステップＳ７３００で相手方の通信装置に通知した着信拒否理由情報を相手方の通信装置毎に記憶する。
【００９５】
このとき、通知済着信拒否理由情報記憶部３０２が「特許太朗」の通信装置に対して記憶した着信拒否理由情報が「バスの中のため電話に出られません」であれば、計算部４０２が所定の時間内に計算した着信拒否理由情報の計算数は図１３（Ｂ）のようになる。
【００９６】
また、例えば、図１３（Ａ）の状態から、「特許太朗」の通信装置への着信拒否理由情報通知動作を繰り返して、計算部４０２が所定の時間内に計算した着信拒否理由情報の計算数が図１３（Ｃ）のようになると、「特許太朗」からの次の着信時には、表示部４０６は、図１２（Ｃ）のような情報を表示する。このとき、表示部４０６は、ステップＳ７１００においては、図１２（Ｄ）のような情報を表示する。
【００９７】
そして、ステップＳ７５００においては、携帯電話機４００と相手方の通信装置との回線を切断して処理を終了する。
【００９８】
なお、携帯電話機４００のユーザは、リセットボタン（図示せず）を押して、計算部４０２が計算した着信拒否理由情報の計算数の一部または全部を０にリセットすることができる（図１３（Ｄ）参照）。本明細書においては、「所定の時間」とは、上記リセットを行ってから経過した時間のことをいうものとする。
【００９９】
このように、本発明の実施の形態４に係る携帯電話機４００によれば、本発明の実施の形態１、本発明の実施の形態２および本発明の実施の形態３の効果に加えて、優先度決定部４０４が、所定の時間内に計算部４０２により計算された計算数が多い着信拒否理由情報から順に高い優先度として表示部４０６に表示される着信拒否理由情報の表示順序を決定し、表示部４０６が、着信拒否理由情報ＤＢ２０６に格納された着信拒否理由情報を優先度決定部４０４により決定された表示順序で表示するため、相手方の通信装置に通知する着信拒否理由情報を選択するまでの操作時間を短縮することができる。
【０１００】
本発明の第１の態様の携帯電話機は、複数の着信拒否理由情報を入力する第１の入力手段と、前記第１の入力手段により入力された前記複数の着信拒否理由情報を格納する格納手段と、前記格納手段に格納された前記複数の着信拒否理由情報を表示する第１の表示手段と、前記第１の表示手段に表示された前記複数の着信拒否理由情報の中から着信を受け付けることができない場合に相手方の通信装置に通知する前記着信拒否理由情報を前記相手方の通信装置からの着信時以外の時に選択する第１の選択手段と、前記第１の表示手段に表示された前記複数の着信拒否理由情報の中から着信を受け付けることができない場合に前記相手方の通信装置に通知する前記着信拒否理由情報を前記相手方の通信装置からの着信時に選択する第２の選択手段と、前記第１の選択手段または前記第２の選択手段により選択された前記着信拒否理由情報を着信に係る前記相手方の通信装置に通知する通知手段と、を有するものである。
【０１０１】
この構成によれば、ユーザが相手方の通信装置からの着信時に当該着信を受け付けることができない場合において、ユーザが相手方の通信装置からの着信時以外の時に予め選択しておいた着信拒否理由情報を自動的に通知するのみならず、ユーザが着信時の状況に応じて当該着信を受け付けるか、または、着信拒否理由情報を通知するかを判断するため、着信時の状況に応じた適切な着信拒否理由情報を簡単な操作で相手方の通信装置に通知することができる。
【０１０２】
本発明の第２の態様の携帯電話機は、第１の態様の携帯電話機において、通信相手名および電話番号を入力する第２の入力手段と、前記第２の入力手段により入力された前記通信相手名と前記電話番号とを対応付けて登録する登録手段と、をさらに有し、前記格納手段は、前記登録手段に登録された前記通信相手名または前記電話番号毎に前記複数の着信拒否理由情報を格納し、前記登録手段に登録された前記通信相手名または前記電話番号毎に格納された前記着信拒否理由情報とともに前記通信相手名または前記電話番号を表示する第２の表示手段をさらに有し、前記第１の選択手段は、前記第２の表示手段に表示された前記複数の着信拒否理由情報の中から着信を受け付けることができない場合に前記相手方の通信装置に通知する前記着信拒否理由情報を前記相手方の通信装置からの着信時以外の時に選択し、前記第２の選択手段は、前記第２の表示手段に表示された前記複数の着信拒否理由情報の中から着信を受け付けることができない場合に前記相手方の通信装置に通知する前記着信拒否理由情報を前記相手方の通信装置からの着信時に選択する、ものである。
【０１０３】
この構成によれば、登録手段が通信相手名と電話番号とを対応付けて登録し、格納手段が登録された通信相手名または電話番号毎に着信拒否理由情報を格納し、第２の表示手段が登録された通信相手名または電話番号毎に格納された着信拒否理由情報とともに通信相手名または電話番号を表示するため、着信に係る通信相手名または電話番号に応じた適切な着信拒否理由情報を相手方の通信装置に通知することができる。
【０１０４】
本発明の第３の態様の携帯電話機は、第２の態様の携帯電話機において、前記通知手段により着信に係る前記相手方の通信装置に通知された前記着信拒否理由情報を前記相手方の通信装置毎に記憶する記憶手段と、前記記憶手段により前記相手方の通信装置毎に記憶された最も新しい前記着信拒否理由情報を判断して判断結果を生成する判断手段と、前記判断結果により最も新しいとされた前記着信拒否理由情報を最も高い優先度として前記複数の着信拒否理由情報の表示順序を決定する第１の優先度決定手段と、をさらに有し、前記第１の表示手段または前記第２の表示手段は、前記第１の優先度決定手段により決定された前記表示順序で前記複数の着信拒否理由情報を表示する、ものである。
【０１０５】
この構成によれば、第１の優先度決定手段が判断手段により生成された判断結果により最も新しいとされた着信拒否理由情報を最も高い優先度として着信拒否理由情報の表示順序を決定し、第１の表示手段または第２の表示手段が第１の優先度決定手段により決定された表示順序で着信拒否理由情報を表示するため、相手方の通信装置に通知する着信拒否理由情報を選択するまでの操作時間を短縮することができる。
【０１０６】
本発明の第４の態様の携帯電話機は、第２の態様の携帯電話機において、前記通知手段により着信に係る前記相手方の通信装置に通知された前記着信拒否理由情報を前記相手方の通信装置毎に記憶する記憶手段と、前記記憶手段により前記相手方の通信装置毎に記憶された前記着信拒否理由情報の数を計算する計算手段と、前記計算手段により所定の時間内に計算された計算数が多い前記着信拒否理由情報から順に高い優先度として前記複数の着信拒否理由情報の表示順序を決定する第２の優先度決定手段と、をさらに有し、前記第１の表示手段または前記第２の表示手段は、前記第２の優先度決定手段により決定された前記表示順序で前記複数の着信拒否理由情報を表示する、ものである。
【０１０７】
この構成によれば、第２の優先度決定手段が所定の時間内に計算手段により計算された計算数が多い着信拒否理由情報から順に高い優先度として着信拒否理由情報の表示順序を決定し、第１の表示手段または第２の表示手段が第２の優先度決定手段により決定された表示順序で着信拒否理由情報を表示するため、相手方の通信装置に通知する着信拒否理由情報を選択するまでの操作時間を短縮することができる。
【産業上の利用可能性】
【０１０８】
本発明は、相手方の通信装置からの着信を受け付けることができない場合においても、理由不明の着信拒否による不快感または不安を与えることなく、かつ、着信時の状況に応じた適切な着信拒否理由情報を簡単な操作で相手方の通信装置に通知することができる効果を有し、着信拒否理由情報を通知する機能を有する携帯電話機として有用である。
【図面の簡単な説明】
【０１０９】
【図１】本発明の実施の形態１に係る携帯電話機の構成を示すブロック図
【図２】本発明の実施の形態１に係る携帯電話機の着信時の動作の一例を説明するためのフローチャート
【図３】（Ａ）本発明の実施の形態１に係る携帯電話機が相手方の通信装置からの着信を受信したときの表示部における液晶画面の表示の一例を示す図、（Ｂ）本発明の実施の形態１に係る携帯電話機の表示部に着信拒否理由情報が表示された液晶画面の表示の一例を示す図
【図４】本発明の実施の形態２に係る携帯電話機の構成を示すブロック図
【図５】本発明の実施の形態２に係る携帯電話機の着信時の動作の一例を説明するためのフローチャート
【図６】（Ａ）本発明の実施の形態２に係る携帯電話機が相手方の通信装置からの着信を受信したときの表示部における液晶画面の表示の一例を示す図、（Ｂ）本発明の実施の形態２に係る携帯電話機の表示部に着信拒否理由情報が表示された液晶画面の表示の一例を示す図、（Ｃ）本発明の実施の形態２に係る携帯電話機の表示部に着信拒否理由情報が表示された液晶画面の表示の他の一例を示す図
【図７】本発明の実施の形態３に係る携帯電話機の構成を示すブロック図
【図８】本発明の実施の形態３に係る携帯電話機の着信時の動作の一例を説明するためのフローチャート
【図９】（Ａ）本発明の実施の形態３に係る携帯電話機が相手方の通信装置からの着信を受信したときの表示部における液晶画面の表示の一例を示す図、（Ｂ）本発明の実施の形態３に係る携帯電話機の表示部に他の着信拒否理由情報が表示された液晶画面の表示の一例を示す図、（Ｃ）本発明の実施の形態３に係る携帯電話機が相手方の通信装置からの着信を受信したときの表示部における液晶画面の表示の他の一例を示す図
【図１０】本発明の実施の形態４に係る携帯電話機の構成を示すブロック図
【図１１】本発明の実施の形態４に係る携帯電話機の着信時の動作の一例を説明するためのフローチャート
【図１２】（Ａ）本発明の実施の形態４に係る携帯電話機が相手方の通信装置からの着信を受信したときの表示部における液晶画面の表示の一例を示す図、（Ｂ）本発明の実施の形態４に係る携帯電話機の表示部に他の着信拒否理由情報が表示された液晶画面の表示の一例を示す図、（Ｃ）本発明の実施の形態４に係る携帯電話機が相手方の通信装置からの着信を受信したときの表示部における液晶画面の表示の他の一例を示す図、（Ｄ）本発明の実施の形態４に係る携帯電話機の表示部に他の着信拒否理由情報が表示された液晶画面の表示の他の一例を示す図
【図１３】（Ａ）計算部が所定の時間内に計算した着信拒否理由情報の計算数の一例を示す図、（Ｂ）計算部が所定の時間内に計算した着信拒否理由情報の計算数の他の一例を示す図、（Ｃ）計算部が所定の時間内に計算した着信拒否理由情報の計算数の他の一例を示す図、（Ｄ）計算部が所定の時間内に計算した着信拒否理由情報の計算数のリセットを示す図
【符号の説明】
【０１１０】
１００、２００、３００、４００  携帯電話機
１０２  受信部
１０４  受信用アンテナ
１０６、２０４  入力部
１０８、２０６  着信拒否理由情報データベース
１１０、２０８、３０８、４０６  表示部
１１２  スピーカ
１１４  マイクロフォン
１１６  送信部
１１８  送信用アンテナ
１２０、２１０、３１０、４０８  制御部
２０２  電話番号データベース
３０２  通知済着信拒否理由情報記憶部
３０４  判断部
３０６、４０４  優先度決定部
４０２  計算部
【図１】
2007081995.tif 000003
【図２】
2007081995.tif 000004
【図３】
2007081995.tif 000005
【図４】
2007081995.tif 000006
【図５】
2007081995.tif 000007
【図６】
2007081995.tif 000008
【図７】
2007081995.tif 000009
【図８】
2007081995.tif 000010
【図９】
2007081995.tif 000011
【図１０】
2007081995.tif 000012
【図１１】
2007081995.tif 000013
【図１２】
2007081995.tif 000014
【図１３】
2007081995.tif 000015